(57)【要約】【課題】  電池セット中の電池に異常が発生した時に、電池保護回路モジュールが電流と電圧の変化に基づき異常の電池を即時検出し、修理に便利である電池保護回路モジュール。【解決手段】  固定電池装置、複数の電池セット及び少なくとも一つの電池保護回路モジュールを包含し、該固定電池装置は正極導電板と負極導電板を包含し、各電池セットは複数の直列接続された電池を包含し、該複数の電池セットは並列に正極導電板と負極導電板の間に接続され、電池保護回路モジュールは複数の信号接続端子を具え、各電池の正極と負極はそれぞれ該電池保護回路モジュールの信号接続端子に電気的に接続される。【選択図】        図１
0003147390.tif 000002
【実用新案登録請求の範囲】
【請求項１】
電池モジュールにおいて、
正極導電板と負極導電板を包含する固定電池装置と、
複数の電池セットであって、各該電池セットは直列に接続された複数の電池からなり、該複数の電池セットが正極導電板と負極導電板の間に並列に接続された、上記複数の電池セットと、
少なくとも一つの電池保護回路モジュールであって、複数の信号接続端子を具え、各該電池の正極と負極がそれぞれ該電池保護回路モジュールの該信号接続端子と電気的に接続された、上記少なくとも一つの電池保護回路モジュールと、
を包含したことを特徴とする、電池モジュール。
【請求項２】
請求項１記載の電池モジュールにおいて、該正極導電板は該負極導電板と平行で、該正極導電板の一端に正極接続柱が凸設され、該負極導電板の一端に負極接続柱が凸設され、該正極導電板の該正極接続柱が設けられた一端は、該負極導電板の該負極接続柱が設けられた一端と反対に位置し、該複数の電池セットの隣り合う電池の正極と負極は当接し且つ各電池は直線式に配列され、各電池セットは互いに平行に該正極導電板と該負極導電板の間に接続されたことを特徴とする、電池モジュール。
【請求項３】
請求項１記載の電池モジュールにおいて、該電池セット中の電池はリチウム電池とされたことを特徴とする、電池モジュール。
【考案の詳細な説明】
【技術分野】
【０００１】
本考案は一種の電池組合せ技術に係り、特に一種の電池モジュールに関する。
【背景技術】
【０００２】
電池モジュールは現在広く応用されている。例えば、ハイブリッドカーに採用されている電池モジュールは、内燃機関、電動機と相互に結合されて環境汚染と省エネの目的を達成している。
【０００３】
図４は周知の電池モジュール１’を示し、それは複数の直列に接続された電池セットを包含し、各電池セットは複数の、並列に接続された電池１０’を包含する。
【考案の開示】
【考案が解決しようとする課題】
【０００４】
上述の電池モジュール１’は、電池セット中の電池が並列に接続されているため、一つの電池セット中の電池に同時に異常が出現した場合を除き、電池に異常が出現しても分かりにくく、修理するのに不便である。
【０００５】
本考案は上述の問題に対して、電池に異常が出現した時に適時に発見できる電池モジュールを提供するものである。
【課題を解決するための手段】
【０００６】
本考案の電池モジュールは、固定電池装置、複数の電池セット及び少なくとも一つの電池保護回路モジュールを包含し、該固定電池装置は正極導電板と負極導電板を包含し、各電池セットは複数の直列接続された電池を包含し、該複数の電池セットは並列に正極導電板と負極導電板の間に接続され、電池保護回路モジュールは複数の信号接続端子を具え、各電池の正極と負極はそれぞれ該電池保護回路モジュールの信号接続端子に電気的に接続される。
【０００７】
本考案の電池モジュールにおいて、該正極導電板は該負極導電板と平行で、該正極導電板の一端に正極接続柱が凸設され、該負極導電板の一端に負極接続柱が凸設され、該正極導電板の該正極接続柱が設けられた一端は、該負極導電板の該負極接続柱が設けられた一端と反対に位置し、該複数の電池セットの隣り合う電池の正極と負極は当接し且つ各電池は直線式に配列され、各電池セットは互いに平行に該正極導電板と該負極導電板の間に接続される。
【０００８】
本考案の電池モジュールにおいて、該電池セット中の電池はリチウム電池とされ得る。
【考案の効果】
【０００９】
本考案の電池セットは電池が直列に接続されて電池セットを構成し、複数の電池セットが正極導電板と負極導電板の間に並列に接続され、各電池の正極と負極はそれぞれ該電池保護回路モジュールの信号接続端子に電気的に接続され、これにより、電池セット中の電池に異常が発生した時に、電池保護回路モジュールが電流と電圧の変化に基づき異常の電池を即時検出し、修理に便利としている。
【考案を実施するための最良の形態】
【００１０】
図１、２及び図３に示されるように、本考案の電池モジュール１は、固定電池装置１０、複数の電池セット及び少なくとも一つの電池保護回路モジュール３０を包含する。該固定電池装置１０は材質が均一なニッケル金属板材で製造されてほぼ長方形板状を呈する正極導電板１１と負極導電板１２を包含する。正極導電板１１は負極導電板１２と平行で、正極導電板１１の一端に外部回路（図示せず）との接続用の正極接続柱１３が凸設され、負極導電板１２の一端に外部回路（図示せず）との接続用の負極接続柱１４が凸設されている。正極導電板１１の正極接続柱１３が設けられた一端は負極導電板１２の負極接続柱１４が設けられた一端と反対に位置する。正極接続柱１３と負極接続柱１４は充電放電接点として使用され、固定電池装置１０の充電放電効率をアップする。
【００１１】
上述の複数の電池セット２０の隣り合う電池２１の正極と負極は当接し（直列接続関係を形成）且つ各電池２１は直線式に配列され、各電池セット２０は相互に平行に正極導電板１１と負極導電板１２の間に当接する。こうして、正極導電板１１と負極導電板１２が各電池セット２０における抵抗を等しく分配し、これにより、容易に、各電池セット２０を流れる電流を等しくし、充電時間を一致させることができる。
【００１２】
上述の複数の電池保護回路モジュール３０はそれぞれ一つの電池セット２０に対応するよう設置され、各電池保護回路モジュール３０はいずれも複数の信号接続端子を有する。電池セット２０の各電池２１の正極、負極はそれぞれ電池保護回路モジュール３０の信号接続端子に電気的に接続され、これにより電池保護回路モジュール３０は各電池２１の電流と電圧を検出でき、電池セット２０中の電池２１に異常が発生した時、電池保護回路モジュール３０は電流と電圧の変化により即時異常の発生した電池２１を検出できる。
【００１３】
総合すると、本考案の電池モジュール１は電池２１が直列に接続されて電池セット２０を構成し、複数の電池セット２０が正極導電板１１と負極導電板１２の間に並列に接続され、各電池２１の正極と負極はそれぞれ該電池保護回路モジュール３０の信号接続端子に電気的に接続され、これにより、電池セット２０中の電池に異常が発生した時に、電池保護回路モジュール３０が電流と電圧の変化に基づき異常の電池２１を即時検出し、修理に便利としている。
【図面の簡単な説明】
【００１４】
【図１】本考案のある実施例の、電池モジュールから電池保護回路モジュールを省略した後の構造表示図である。
【図２】本考案の電池セットと電池保護回路モジュールの接続関係を示す構造表示図である。
【図３】図２の電池保護回路モジュールと電池セットの接続関係を示す電気回路図である。
【図４】周知の電池モジュールの構造表示図である。
【符号の説明】
【００１５】
１  電池モジュール          １０  固定電池装置
１１  正極導電板            １２  負極導電板
１３  正極接続柱            １４  負極接続柱
２０  電池セット            ２１  電池
３０  電池保護回路モジュール
【図１】
0003147390.tif 000003
【図２】
0003147390.tif 000004
【図３】
0003147390.tif 000005
【図４】
0003147390.tif 000006